(57)【特許請求の範囲】
【請求項１】
ベッド本体とは別体に形成されたヘッドボードであって、このヘッドボードは前記ベッド本体の幅と略同じ幅を有し、且つ、室内の壁面に沿って設けた前記ベッド本体の幅よりも大きい収納部の前面開口部を覆うようにして取り付けられて、この収納部の開閉扉を兼ねているとともに、前記収納部に対して左右方向に移動自在に取り付けられていて、このヘッドボードを移動させることで収納部のヘッドボードで覆われていた部分を使用可能としてあることを特徴とするベッドのヘッドボード。
【請求項２】
前記ヘッドボードが、互いに独立して移動できる一対からなることを特徴とする請求項第１項記載のヘッドボード。
【発明の詳細な説明】
【０００１】
【産業上の利用分野】
この発明は、ベッド本体と別体に形成されたヘッドボードであって、室内の壁面に沿って設けた収納部の開閉扉を兼ねているベッドのヘッドボードに関するものである。
【０００２】
【従来の技術】
従来、ベッドのヘッドボードはベッド本体と一体に形成されている。また、ヘッドボードとベッド本体が別体に形成されているものは、ヘッドボードにベッド本体を当接させて設置する。室内の壁面にそって収納部を設けている場合でも、このようなベッドを設置していた。
【０００３】
【発明が解決しようとする課題】
上記従来のように、ベッド本体とヘッドボードが一体に形成されているベッド、ベッド本体とヘッドボードが別体に形成されているベッド、いずれのものでも、いったん室内の壁面にそって設けた収納部の前面に設置すると、ヘッドボードで覆われた収納スペースは、ベッド本体を移動させないかぎり、中の物を取り出すことも、中に物を入れることもできず、使用できないという欠点があった。ダブルサイズのベッドが設置されている場合は、更に使用できないスペースが増大する。
【０００４】
この発明は、このような従来の欠点を解消して、壁面に沿って設けた収納部に当接して設置したベッドの、ヘッドボードで覆われた部分からも収納物の出し入れを可能にし、その収納スペースを有効に利用することができるようにすることを目的とするものである。
【０００５】
【課題を解決するための手段】
上記の課題を解決するため、この発明では、ベッド本体とは別体に形成されたヘッドボードであって、このヘッドボードは前記ベッド本体の幅と略同じ幅を有し、且つ、室内の壁面に沿って設けた前記ベッド本体の幅よりも大きい収納部の前面開口部を覆うようにして取り付けられて、この収納部の開閉扉を兼ねているとともに、前記収納部に対して左右方向に移動自在に取り付けられていて、このヘッドボードを移動させることで収納部のヘッドボードで覆われていた部分を使用可能としてあることを特徴とする。
【０００６】
また、上記において、この出願の請求項２では、前記ヘッドボードが、互いに独立して移動できる一対からなることを特徴とする。
【０００７】
【作用】
上記構成によれば、ベッド本体と別体に形成されたヘッドボードが、室内の壁面に沿って設けられた収納部の前面開口部を、左右方向に移動自在に取り付けられた収納部の開閉扉を兼ねている。このため、ヘッドボードで覆われている収納部分が、ヘッドボードを左右に移動させることによって、物の出し入れができるようになり、使用可能となる。
【０００８】
【実施例】
図１〜３は、この発明の実施例を示しており、各図のヘッドボード（１ａ）（１ｂ）はベッド本体（２）と別体に形成されている。
【０００９】
図１、図２は、本発明の実施例を示す斜視図である。室内には柱(５)が壁面(４)から突出しており、棚状の収納部(３)が、前記の柱(５)から壁面(４)に沿って設置され、この収納部(３)の前面にヘッドボード(1a)(1b)が取り付けられている。そして、収納部(３)の前面側には、それらのヘッドボード(1a)(1b)に対応して一対のベッド本体(２)(２)が設置されている。図１から図３特に図３で示すようにヘッドボード(1a)(1b)の左右方向の幅はベッド本体(２)(２)と略同じであり、また、当然ながら収納部(３)はベッド本体(２)の幅よりも大きい。
【００１０】
図２は、ヘッドボード（１ａ）を図の右方向に移動させた状態を示しており、図１でヘッドボード（１ａ）に覆われて隠れていた収納物があらわれ、出し入れできる状態になっている。
【００１１】
図３は、この発明の実施例を示す室内の横断平面図であって、壁面（４）から突出した柱（５）から間仕切り壁（６）まで、壁面（４）に沿って、壁（４）から柱（５）が突出している長さを奥行きとする収納部（３）が設置され、その前面にヘッドボード（１ａ）（１ｂ）が取り付けられている。
【００１２】
図１〜図３では、いずれも、２つのベッドが離れて設置されているが、２つを並べて設置し、ダブルサイズのベッドとして使用することもできる。
【００１３】
図４は、この発明のヘッドボードの取付状態の１例を示す正面図で、柱（５）から壁面（４）に沿って棚状の収納部（３）が設けられ、その開口部前面にヘッドボード（１ａ）（１ｂ）が取り付けられている。（７）（７）は棚板である。
【００１４】
図５は、ヘッドボードの収納部への取付状態を示している。棚状の収納部（３）の天板（８）下面には、収納部の左右方向全長にわたって横溝（９）が設けられ、この横溝（９）に、ヘッドボード（１ａ）（１ｂ）の背面にヘッドボードを保持すべく一体に取り付けられた板状部材の上部に設けたピン（１０）を、横溝（９）に沿って移動できるように嵌合させる。
【００１５】
また、収納部（３）の底部を形成する地板（１１）上面には、収納部の左右方向全長にわたってレール（１２）が設けられ、前記ヘッドボード（１ａ）（１ｂ）の背面に一体に取り付けられた板状部材の下部に設けた戸車（１３）を、前記のレール（１２）上を摺動させることによって、上部をピン（１０）で天板横溝（９）に嵌め込み保持された各ヘッドボード（１ａ）（１ｂ）が、収納部（３）前面を左右に自在に、互いに独立して移動することができる。
【００１６】
なお、図３でも示すように、柱(５)と間仕切り壁(６)との間に連続して設けられた収納部(３)は、その幅方向の先端が柱(５)と略同一面となるようにして、柱(５)の部屋への突出が目立たないように視覚的に処理している。即わち、柱(５)が室内へ張出していると空間が狭められたような印象を与えるが、こうすることで、そのような不具合を解消できる。また、コーナーに柱(５)があるときは、柱間に収納部(３)を設ける。
【００１７】
【発明の効果】
以上のように、この発明では、ベッド本体と別体に形成されたヘッドボードが、室内の壁面に沿って設けた収納部の開閉扉を兼ね、前記ヘッドボードが、前面開口部を覆うようにして、左右方向に移動自在に取り付けられているため、ベッド本体を移動させることなく、ヘッドボードを移動させるだけで、ヘッドボードで覆われた部分からも収納物の出し入れを可能にし、その収納スペースを有効に利用することができる。
【００１８】
また、ダブルサイズのベッドでは、ヘッドボードで覆われる収納部の面積はより大きくなり、事実上使用できないスペースが増えるが、この発明では一対のベッドを密着して設置し、ダブルサイズのベッドとして使用しても、２つに分かれたヘッドボードを個別に移動させることができることから、少ない労力で、容易に必要なものの出し入れをすることができ、収納スペースを有効に利用できる。
【図面の簡単な説明】
【図１】この発明の実施例を示す斜視図である。
【図２】同じくヘッドボードの１つを移動させた状態を示す斜視図である。
【図３】この発明の実施例を示す室内の横断平面図である。
【図４】ヘッドボードの収納部への取付状態を示す正面図である。
【図５】ヘッドボードの収納部への取付状態を示す縦断面図である。
【符号の説明】
（１ａ）  ヘッドボード
（１ｂ）  ヘッドボード
（２）  ベッド本体
（３）  収納部
【図１】
0003555701.tif 000002
【図２】
0003555701.tif 000003
【図３】
0003555701.tif 000004
【図４】
0003555701.tif 000005
【図５】
0003555701.tif 000006